(57)【特許請求の範囲】
【請求項１】
表面シート、裏面シート及びそれら両シート間に配置された吸収体を具備し、長手方向に腹側部、背側部及びそれらの間に位置する股下部を有する使い捨ておむつであって、
前記吸収体は、吸水性ポリマーを含む吸収性コア及び該吸収性コアを包むコアラップシートを備え、該コアラップシートは、該吸収性コアの肌対向面及び非肌対向面に接着剤を介して接合されており、
前記吸収性コアは、前記股下部に幅が減少した括れ部を有し、前記コアラップシートは、前記吸収性コアの前記括れ部における両側縁から延出した側方延出部に、該側方延出部の上面を形成する第１シート部と該側方延出部の下面を形成する第２シート部との間が接合されていない非接合領域を有しており、
使い捨ておむつの幅方向において、前記表面シートは、前記第１シート部の外側端部より外方に、相対向する下側シートに接合されていない非接合部を有し、非接合部より更に外側に、相対向する下側シートに接合された外側接合部を有しており、
前記裏面シートが透湿性を有しており、
前記コアラップシートの前記第２シート部が、前記裏面シートに接合されておらず、
前記コアラップシートは、前記吸収性コアの前記括れ部における側縁より内方に位置する、第２シート部と連続する部分にも前記裏面シートに接合されていない部分を有している、使い捨ておむつ。
【請求項２】
表面シート、裏面シート及びそれら両シート間に配置された吸収体を具備し、長手方向に腹側部、背側部及びそれらの間に位置する股下部を有する使い捨ておむつであって、
前記吸収体は、吸水性ポリマーを含む吸収性コア及び該吸収性コアを包むコアラップシートを備え、該コアラップシートは、該吸収性コアの肌対向面及び非肌対向面に接着剤を介して接合されており、
前記吸収性コアは、前記股下部に幅が減少した括れ部を有し、前記コアラップシートは、前記吸収性コアの前記括れ部における両側縁から延出した側方延出部に、該側方延出部の上面を形成する第１シート部と該側方延出部の下面を形成する第２シート部との間が接合されていない非接合領域を有しており、
使い捨ておむつの幅方向において、前記表面シートは、前記第１シート部の外側端部より外方に、相対向する下側シートに接合されていない非接合部を有し、非接合部より更に外側に、相対向する下側シートに接合された外側接合部を有しており、
前記コアラップシートは、前記側方延出部に、第１シート部と第２シート部との間に、該コアラップシートの一部が折り込まれている折り込み部を有し、
前記折り込み部は、前記表面シート側の上側折曲部と、前記裏面シート側の下側折曲部と、それらの間の中間谷折折曲部とを有し、該下側折曲部が該上側折曲部よりも、使い捨ておむつの幅方向の外方に位置している、使い捨ておむつ。
【請求項３】
表面シート、裏面シート及びそれら両シート間に配置された吸収体を具備し、長手方向に腹側部、背側部及びそれらの間に位置する股下部を有する使い捨ておむつであって、
前記吸収体は、吸水性ポリマーを含む吸収性コア及び該吸収性コアを包むコアラップシートを備え、該コアラップシートは、該吸収性コアの肌対向面及び非肌対向面に接着剤を介して接合されており、
前記吸収性コアは、前記股下部に幅が減少した括れ部を有し、前記コアラップシートは、前記吸収性コアの前記括れ部における両側縁から延出した側方延出部に、該側方延出部の上面を形成する第１シート部と該側方延出部の下面を形成する第２シート部との間が水溶性の接着剤により接合された弱接合領域を有しており、
使い捨ておむつの幅方向において、前記表面シートは、前記第１シート部の外側端部より外方に、相対向する下側シートに接合されていない非接合部を有し、該非接合部より更に外側に、相対向する下側シートに接合された外側接合部を有している、使い捨ておむつ。
【請求項４】
使い捨ておむつの幅方向において、前記表面シートにおける前記非接合部が、前記第１シート部の外側端部より外側に設けられており、前記外側接合部における前記表面シートが、前記下側折曲部に接合されている、請求項２に記載の使い捨ておむつ。
【請求項５】
前記裏面シートが透湿性を有しており、
前記コアラップシートの前記第２シート部が、前記裏面シートに接合されていない、請求項２〜４の何れか１項に記載の使い捨ておむつ。
【請求項６】
前記コアラップシートは、前記吸収性コアの前記括れ部における側縁より内方に位置する、第２シート部と連続する部分にも前記裏面シートに接合されていない部分を有している、請求項５に記載の使い捨ておむつ。
【請求項７】
前記コアラップシートは、前記側方延出部に、第１シート部と第２シート部との間に、該コアラップシートの一部が折り込まれている折り込み部を有する、請求項１及び３〜６の何れか１項に記載の使い捨ておむつ。
【請求項８】
前記コアラップシートは、前記吸収性コアと前記裏面シートとの間にコアラップシートどうしの連結部を有し、該連結部が前記裏面シートに接合されている、請求項１〜７の何れか１項に記載の使い捨ておむつ。
【発明の詳細な説明】
【技術分野】
【０００１】
本発明は、使い捨ておむつに関する。
【背景技術】
【０００２】
従来、使い捨ておむつとして、肌当接面側の表面シート、非肌当接面側の裏面シート及びこれら両シート間に配置された吸収体を具備し、該吸収体が、吸水性ポリマーを含む吸収性コア及び該吸収性コアを包むコアラップシートを備えたものが知られている。吸収性ポリマーは、一般に、吸液により膨張して優れた吸収性能を示すため、吸収性ポリマーや吸水性ポリマーを含む吸収体の膨張を阻害しないようにする技術も提案されている。
例えば、本出願人は先に、コアラップシートを、吸収性コアの括れた部分の側縁より外方に延出させるとともに、延出した部分における上下のコアラップシートどうしを接着しないことで、吸収性コアに含まれる吸収性ポリマーの吸収力が十分に発揮されるようにする技術を提案した（特許文献１参照）。
また、特許文献２には、内部空間が肌側に向かって広がることが可能な液収納体と、液収納体の内部空間に位置する液吸収ユニットとを有する吸収性物品であって、液吸収ユニットが、２枚の液透過性の収納シートが部分的に接合されて形成された複数の収納袋と収納袋内に収納されて液を吸収してその体積が膨張する高吸収性材料とを有し、隣り合う収納袋間に収納シートが接合されていない非接合部分が設けられているものが提案されている。
【先行技術文献】
【特許文献】
【０００３】
【特許文献１】特開２０１３−９９４５１号公報
【特許文献２】特許４１３７７６７号公報
【発明の概要】
【発明が解決しようとする課題】
【０００４】
前述した特許文献１の技術によっては、吸収体に含まれる吸収性ポリマーの吸収力が効果的に発揮され、防漏性等が向上する。しかし、更に吸収力や防漏性を高めたいというニーズがある。また特許文献２の吸収性物品は、構造が複雑であり、より簡易な構造で、吸収性ポリマーによる吸収力を発揮させることが望まれる。
【０００５】
したがって本発明の課題は、前述した従来技術が有する欠点を解消し得る使い捨ておむつを提供することにある。
【課題を解決するための手段】
【０００６】
本発明は、表面シート、裏面シート及びそれら両シート間に配置された吸収体を具備し、長手方向に腹側部、背側部及びそれらの間に位置する股下部を有する使い捨ておむつであって、前記吸収体は、吸水性ポリマーを含む吸収性コア及び該吸収性コアを包むコアラップシートを備え、該コアラップシートは、該吸収性コアの肌対向面及び非肌対向面に接着剤を介して接合されており、前記吸収性コアは、前記股下部に幅が減少した括れ部を有し、前記コアラップシートは、前記吸収性コアの前記括れ部における両側縁から延出した側方延出部に、該側方延出部の上面を形成する第１シート部と該側方延出部の下面を形成する第２シート部との間が接合されていない非接合領域を有しており、使い捨ておむつの幅方向において、前記表面シートは、前記第１シート部の外側端部より外方に、相対向する下側シートに接合されていない非接合部を有し、非接合部より更に外側に、相対向する下側シートに接合された外側接合部を有している、使い捨ておむつを提供するものである。
【０００７】
本発明は、表面シート、裏面シート及びそれら両シート間に配置された吸収体を具備し、長手方向に腹側部、背側部及びそれらの間に位置する股下部を有する使い捨ておむつであって、
前記吸収体は、吸水性ポリマーを含む吸収性コア及び該吸収性コアを包むコアラップシートを備え、該コアラップシートは、該吸収性コアの肌対向面及び非肌対向面に接着剤を介して接合されており、前記吸収性コアは、前記股下部に幅が減少した括れ部を有し、前記コアラップシートは、前記吸収性コアの前記括れ部における両側縁から延出した側方延出部に、該側方延出部の上面を形成する第１シート部と該側方延出部の下面を形成する第２シート部との間が水溶性の接着剤により接合された弱接合領域を有しており、使い捨ておむつの幅方向において、前記表面シートは、前記第１シート部の外側端部より外方に、相対向する下側シートに接合されていない非接合部を有し、該非接合部より更に外側に、相対向する下側シートに接合された外側接合部を有している、使い捨ておむつを提供するものである（以下、第２発明というときはこの発明をいう）。
【発明の効果】
【０００８】
本発明の使い捨ておむつによれば、吸収性コアや吸収体の膨潤阻害が抑制され、吸水性ポリマーを含む吸収体の吸収力が十分に発揮され、優れた防漏性が得られる。
【図面の簡単な説明】
【０００９】
【図１】図１は、本発明の使い捨ておむつの第１実施形態の平面状に広げた展開状態を示す平面図である。
【図２】図２は、図１のＩＩ−ＩＩ線模式断面図である。
【図３】図３は、図２から吸収体部分を抽出して示す吸収体の拡大断面図である。
【図４】図４は、本発明の使い捨ておむつの第２実施形態を示す図２相当図である。
【図５】図５は、本発明の使い捨ておむつの第３実施形態を示す図２相当図である。
【図６】図６は、本発明の使い捨ておむつの第４実施形態を示す図２相当図である。
【図７】図７は、本発明の使い捨ておむつの第５実施形態を示す図２相当図である。
【図８】図８は、本発明の使い捨ておむつの第６実施形態を示す図２相当図である。
【発明を実施するための形態】
【００１０】
以下、本発明をその好ましい実施形態に基づき図面を参照しながら説明する。
図１及び図２には、本発明の第１実施形態の使い捨ておむつ１（以下「おむつ１」ともいう）が示されている。
おむつ１は、図１及び図２に示すように、液透過性の表面シート２、裏面シート３及びそれら両シート２，３間に配置された吸収体４を具備する。また、おむつ１は、図１に示すように縦長の形状を有しており、その長手方向Ｘに、着用時に着用者の腹側に配される腹側部Ａ、着用時に着用者の背側に配される背側部Ｂ、及び腹側部Ａと背側部Ｂとの間に位置する股下部Ｃを有している。おむつ１は、展開型の使い捨ておむつであり、背側部Ｂの両側縁部にファスニングテープ７が設けられ、腹側部Ａの外表面に、そのファスニングテープ７を止着するランディングテープ８が設けられている。裏面シート３は、おむつ１の厚み方向において吸収体４よりも、おむつ１の非肌対向面側に配されたシートであり、本実施形態における裏面シート３は、液不透過性又は液難透過性の樹脂フィルムからなる防漏シート３ａと、該防漏シート３ａの非肌対向面側に接着された外装不織布３ｂとの積層体からなる。本発明における裏面シート３は、防漏シート３ａのみからなるものであっても良い。
【００１１】
おむつ１における長手方向Ｘの両側には、弾性部材５ａを有する立体ギャザー形成用のシート５が配されており、その弾性部材５ａの収縮により、着用状態における股下部Ｃに、着用者の肌側に向かって起立する立体ギャザーが形成される。また、股下部Ｃにおける脚周りに配される部位には、レッグ部弾性部材６が伸長状態で配されており、その収縮により、着用状態における股下部Ｃに、着用者の脚周りへのフィット性を向上させるレッグギャザーが形成される。
【００１２】
おむつ１における吸収体４は、吸水性ポリマーを含む吸収性コア４１と該吸収性コア４１を包むコアラップシート４２とを備えている。本実施形態における吸収性コア４１は、パルプ繊維等の繊維材料と吸水性ポリマーとの混合積繊体から構成されている。混合積繊体は、空気流に載せて供給した繊維材料及び吸水性ポリマーを、所定形状の集積用凹部内に吸引して堆積させる積繊工程を経て得られ、公知の積繊装置を用いて形成することができる。吸収性コア４１を構成する繊維材料としては、例えば、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等からなる粒子等が挙げられる。繊維材料及び吸水性ポリマーは、それぞれ、１種を単独で又は２種以上を組み合わせて使用することができる。コアラップシート４２としては、例えば、ティッシュペーパーや透水性の不織布が用いられる。
【００１３】
本実施形態におけるコアラップシート４２は、正方形又は矩形状のシートであり、おむつ１の長手方向Ｘに沿う長さが、吸収性コア４１の同方向の長さより長く、図２及び図３に示すように、１枚で吸収性コア４１の全体を包んでいる。より詳細には、コアラップシート４２は、図２に示すように、おむつ１の長手方向Ｘに沿う一側縁部と他側縁部とが積層されたコアラップシートどうしの連結部４２ｃを、吸収性コア４１と裏面シート３との間に有し、コアラップシート４２は、おむつ１の長手方向Ｘに直交する吸収性コア４１の断面をその全周に亘って囲んでいる。そして、コアラップシート４２は、吸収性コア４１の肌対向面及び非肌対向面に、それぞれ接着剤ｂを介して接合されている。おむつ１の構成部材（吸収性コア４１、表面シート２、裏面シート３、吸収体４等）の肌対向面は、おむつ１の着用時に、着用者の肌側に向けられる面であり、非肌対向面は、おむつの着用時に、着用者の肌側とは反対側（通常衣類側）に向けられる面である。
【００１４】
また、吸収性コア４１は、図１及び図２に示すように、股下部Ｃに幅が減少した括れ部４１ｃを有している。括れ部４１ｃは、おむつ１の長手方向Ｘにおける前後を、その部位よりも幅の広い部位に挟まれた部分であり、吸収性コア４１の括れ部４１ｃにおける両側縁４１ｓ，４１ｓは、図１に示すように、吸収体４の平面視において、おむつ１の幅方向内方に向かって凸の凹状をなし、より具体的には、おむつ１の幅方向内方に向かって凸の円弧状をなしている。他方、前述したコアラップシート４２は、吸収体４の平面視において矩形状を有し、吸収性コア４１の括れ部４１ｃにおける両側縁４１ｓ，４１ｓから延出した一対の側方延出部４３，４３を有している。コアラップシート４２の側方延出部４３は、図１に示すように、おむつ１の長手方向Ｘにおける括れ部４１ｃを有する範囲Ｃ１内において、該括れ部４１ｃの両側縁４１ｓ，４１ｓそれぞれの外方に位置する部分である。
【００１５】
そして、コアラップシート４２は、各側方延出部４３においては、図２及び図３に示すように、側方延出部４３の上面を形成する第１シート部４２ｕと、側方延出部４３の下面を形成する第２シート部４２ｄとの間が接合されていない。即ち、本実施形態においては、図３に示すように、側方延出部４３における、吸収体４の側縁４ｓを形成する部分を除く全域が、非接合領域４３Ｎとなっている。
第１シート部４２ｕは、吸収体４の肌対向面を形成する上側コアラップシート４２ａの一部を形成し、表面シート２の非肌対向面と対向している。第２シート部４２ｄは、吸収体４の非肌対向面を形成する下側コアラップシート４２ｂの一部を形成し、裏面シート３の肌対向面と対向している。本実施形態のおむつ１における上側コアラップシート４２ａは、接着剤ｃにより、左右の第１シート部４２ｕを含む吸収体４の全幅に亘る範囲が、表面シート２と接合している。他方、下側コアラップシート４２ｂは、吸収体４の幅方向中央部において、接着剤ａを介して裏面シート３と接合されている。換言すれば、括れ部４１ｃ又は吸収体４の幅方向中央部において、吸収体４と裏面シート３とが接着剤ａにより接合されている。そして、吸収体４と裏面シート３との間を接合する接着剤ａが、前述した連結部４２ｃにおいて連結される両シートに跨るように配されている。つまり、コアラップシートどうしの連結部４２ｃは、裏面シート３に接合されている。連結部４２ｃは、おむつ１の幅方向Ｙの全域に亘って裏面シート３に接合されていることが好ましい。
また、下側コアラップシート４２ｂの第２シート部４２ｄは、裏面シート３とは接合されておらず、また、下側コアラップシート４２ｂは、吸収性コア４１の括れ部４１ｃにおける側縁４１ｓより内方に位置する、第２シート部４２ｄと連続する部分にも、裏面シート３に接合されていない部分４４を有している。
【００１６】
また、図２に示すように、おむつ１における表面シート２は、おむつ１の幅方向Ｙにおいて、コアラップシート４２の第１シート部４２ｕの外側端部Ｕｏより外方に、相対向する裏面シート３に接合されていない非接合部２１を有し、該非接合部２１より更に外側に、相対向する裏面シート３に接着剤ｄで接合された外側接合部２２を有している。おむつ１においては、裏面シート３が、本発明における「下側シート」である。
【００１７】
なお、おむつ１においては、接着剤ａ〜ｄは、ホットメルト型の非水溶性の接着剤であり、図２に示す幅と同じ幅で、吸収体４のおむつ長手方向Ｘの全長に亘って配されている。また、接着剤ａ〜ｄの塗工方法は、スロットコーター等によるべた塗りでも良いが、通液性や通気性の観点から、パターン塗工が好ましい。パターン塗工の塗工パターンの例としては、スパイラルパターン、ドットパターン、ストライプパターン（縞状パターン）、格子パターン、市松模様状のパターン等が挙げられる。
【００１８】
本実施形態のおむつ１によれば、コアラップシート４２が、吸収性コア４１の括れ部４１ｃに隣接する部位に、上面側の第１シート部４２ｕと下面側の第２シート部４２ｄとが接合されていない側方延出部４３を有し、該側方延出部４３が延び代となって、吸収性コア４１が吸液して厚み方向に膨潤することをコアラップシート４２が阻害しない。しかも、表面シート２が、外側接合部２２との間に非接合部２１を有するため、表面シート２と裏面シート３との接合によっても、吸収性コア４１や吸収体４が吸液して厚み方向に膨潤することが阻害されない。
このように、本実施形態のおむつ１によれば、コアラップシート４２及び表面シート２による吸収性コア４１や吸収体４の膨潤阻害が抑制され、吸水性ポリマーを含む吸収体の吸収力が十分に発揮され、優れた防漏性が得られる。
【００１９】
また、裏面シート３が透湿性を有する場合、表面シート２が、外側接合部２２との間に非接合部２１を有することによって、裏面シート３を介した湿気の排出が促進されるので、吸収体４の吸液後にも蒸れが生じにくい使い捨ておむつとなる。
【００２０】
また、本実施形態のおむつ１においては、前述したように、コアラップシートどうしの連結部４２ｃを、吸収性コア４１と裏面シート３との間に有し、吸収体４と裏面シート３との間を接合する接着剤ａが、連結部４２ｃにおいて連結される両シートに跨るように配されているため、吸収性コア４１が吸液により膨潤しても、連結部４２ｃにおけるシートの分離が生じ難い。なお、連結部４２ｃにおいて連結される両シートは、連結部４２ｃにおいて互いに積層されていても良いし、突き合わせた状態となっていても良い。また、積層されている場合、両者の間に接着剤が介在していても良いし、介在していなくても良い。
【００２１】
また、本実施形態のおむつ１においては、前述したように、第２シート部４２ｄが、裏面シート３と接合されていないため、裏面シート３が透湿性を有する場合、吸収体４から生じる湿気が、第２シート部４２ｄ及び裏面シート３を介して外部に効率よく放散される。そのため、吸収体４の吸液後にも蒸れが生じにくい使い捨ておむつとなる。また、コアラップシート４２における、吸収性コア４１の括れ部４１ｃにおける側縁４１ｓより内方に位置する、第２シート部４２ｄと連続する部分にも、裏面シート３に接合されていない部分４４を有していることによって、湿気の排出が一層良好となり、一層蒸れが生じにくい使い捨ておむつとなる。
【００２２】
前述した一又は二以上の効果が一層確実に奏されるようにする観点から、おむつ１は以下の構成を有することが好ましい。
側方延出部４３の延出長さＬ３（おむつ幅方向Ｙに沿う長さ，図３参照）は、吸収体４の全幅Ｌ４（図１参照）に対して、好ましくは５％以上、より好ましくは８％以上であり、また、好ましくは２８％以下、より好ましくは２５％以下であり、また好ましくは５％以上２８％以下、より好ましくは８％以上２５％以下である。側方延出部４３の延出長さＬ３は、好ましくは５ｍｍ以上、より好ましくは８ｍｍ以上であり、また、好ましくは３０ｍｍ以下、より好ましくは２７ｍｍ以下であり、また好ましくは５ｍｍ以上３０ｍｍ以下、より好ましくは８ｍｍ以上２７ｍｍ以下である。
側方延出部４３の延出長さＬ３は、吸収性コア４１の両側縁４１ｓから、コアラップシート４２から形成される吸収体４の側縁４ｓまでの長さであり、おむつの幅方向Ｙに沿う長さである。
【００２３】
非接合領域４３Ｎのおむつ幅方向の長さＬｎ（図３参照）の好ましい範囲、及び該長さＬｎの吸収体４の全幅Ｌ４に対する割合の好ましい範囲は、側方延出部４３の延出長さＬ３についての上述した好ましい範囲と同じである。
非接合領域４３Ｎのおむつ幅方向の長さＬｎは、側方延出部４３の延出長さＬ３に対して、好ましくは１０％以上、より好ましくは５０％以上、更に好ましくは９０％であり、また、好ましくは１００％未満である。
【００２４】
表面シート２の非接合部２１のおむつ幅方向の長さＬ１（図２参照）は、吸収体４の全幅Ｌ４（図１参照）に対して、好ましくは３％以上、より好ましくは４％以上であり、また、好ましくは１８％以下、より好ましくは１５％以下であり、また好ましくは３％以上１８％以下、より好ましくは４％以上１５％以下である。非接合部２１のおむつ幅方向の長さＬ１は、好ましくは３ｍｍ以上、より好ましくは４ｍｍ以上であり、また、好ましくは２０ｍｍ以下、より好ましくは１５ｍｍ以下であり、また好ましくは３ｍｍ以上２０ｍｍ以下、より好ましくは４ｍｍ以上１５ｍｍ以下である。
【００２５】
本実施形態のおむつ１は、図２に示すように、接着剤ａは、吸収性コア４１の側縁４１ｓより内側に配されているが、本発明の使い捨ておむつにおいては、吸収性コア４１の側縁４１ｓに対して幅方向外側に亘り配置しても良く、吸収体４の側縁４ｓまで配置しても良い。
おむつの長手方向の両側それぞれにおいて、吸収体４の側縁４ｓと接着剤ａとの間の距離（おむつ幅方向Ｘに沿う長さ）は、吸収体４の全幅Ｌ４（図１参照）に対して、好ましくは１％以上、より好ましくは３％以上であり、また、好ましくは３５％以下、より好ましくは３３％以下であり、また好ましくは１％以上３５％以下、より好ましくは３％以上３３％以下である。前記接着剤ａとは、吸収体４と裏面シート３との間を接合する前記接着剤ａである。
吸収性コア４１の側縁４１ｓと接着剤ａとの間の距離（おむつ幅方向に沿う長さ）は、吸収性コア４１の全幅（おむつ幅方向に沿う長さ）に対して、好ましくは０％以上、より好ましくは２％以上であり、また、好ましくは５０％以下、より好ましくは４０％以下であり、また好ましくは０％以上５０％以下、より好ましくは２％以上４０％以下である。
【００２６】
蒸れ防止の観点からは、コアラップシート４２は、吸収性コア４１の括れ部４１ｃにおける側縁４１ｓより内方に位置する、第２シート部４２ｄと連続する部分にも、裏面シート３に接合されていない部分４４を有していることが好ましい。該部分４４のおむつ幅方向Ｘに沿う長さＬ５（図２参照）は、吸収体４の全幅Ｌ４（図１参照）に対して、好ましくは１％以上、より好ましくは３％以上であり、また、好ましくは３０％以下、より好ましくは２７％以下であり、また好ましくは１％以上３０％以下、より好ましくは３％以上２７％以下である。
【００２７】
側方延出部４３の延出長さＬ３、非接合領域４３Ｎのおむつ幅方向の長さＬｎ、吸収体４の全幅Ｌ４、非接合部２１のおむつ幅方向の長さＬ１、吸収体４の側縁４ｓと接着剤ａとの間の距離、吸収性コア４１の側縁４１ｓと接着剤ａとの間の距離、前記部分４４のおむつ幅方向の長さＬ５、吸収性コア４１の全幅Ｌ４等は、何れも、展開状態のおむつにおける括れ部４１ｃの最小幅部（図１のＩＩ−ＩＩ線の位置）において測定する。
【００２８】
次に、本発明の第２〜第７実施形態の使い捨ておむつについて説明する。
第２〜第７実施形態においては、主に第１実施形態のおむつ１と異なる点について説明し、同様の点については説明を省略する。特に説明しない点については、各部の寸法や寸法比等の好ましい構成を含めて、第１実施形態のおむつ１と同様の構成とすることができる。
【００２９】
第２実施形態の使い捨ておむつ１Ａ（以下、おむつ１Ａともいう）においては、図４に示すように、吸収体４のコアラップシート４２が、別体である上側コアラップシート４２ａと下側コアラップシート４２ｂとを組み合わせて構成されており、その上側コアラップシート４２ａと下側コアラップシート４２ｂとは、吸収体４の両側部において接着剤ｅを介して接合されている。おむつ１Ａにおいても、コアラップシート４２は、吸収性コア４１の括れ部４１ｃにおける両側縁から延出した側方延出部４３に、側方延出部４３の上面を形成する第１シート部と側方延出部４３の下面を形成する第２シート部との間が接合されていない非接合領域４３Ｎを有しており、その非接合領域４３Ｎは、おむつ幅方向において、吸収性コア４１の括れ部４１ｃに隣接している。また、表面シート２が、外側接合部２２との間に非接合部２１を有している。そのため、おむつ１Ａによっても、おむつ１と同様の効果が奏される。
【００３０】
第３〜第６実施形態の使い捨ておむつ１Ｂ〜１Ｅにおいても、図５〜図８に示すように、吸収性コア４１を包むコアラップシート４２が、吸収性コア４１の括れ部４１ｃにおける両側縁４１ｓ，４１ｓから延出した側方延出部４３に、上面を形成する第１シート部４２ｕと下面を形成する第２シート部との間が接合されていない非接合領域４３Ｎを有しており、非接合領域４３Ｎは、おむつ幅方向において、吸収性コア４１の括れ部４１ｃに隣接している。
【００３１】
図５に示すように、第３実施形態の使い捨ておむつ１Ｂ（以下、おむつ１Ｂともいう）は、コアラップシート４２が、一対の側方延出部４３のそれぞれに、第１シート部４２ｕと第２シート部４２ｄとの間に折り込まれた折り込み部４５を有している。各折り込み部４５は、コアラップシート４２に３箇所で折り曲げて形成されており、３箇所の折曲部として、表面シート２側の上側折曲部４５ａと、裏面シート３側の下側折曲部４５ｃと、それらの間の中間谷折折曲部４５ｂとを有している。上側折曲部４５ａと下側折曲部４５ｃとの間は、側方延出部４３の上面を形成する第１シート部４２ｕと側方延出部４３の下面を形成する第２シート部４２ｄとの間に位置しており、第１シート部４２ｕ及び第２シート部４２ｄの何れにも接合されておらず、上側折曲部４５ａと下側折曲部４５ｃとの間の領域どうしも接合されていない。これに代えて、上側折曲部４５ａと中間谷折折曲部４５ｂとの間又は中間谷折折曲部４５ｂと下側折曲部４５ｃとの間の何れか一方を、水溶性の接着剤により、それぞれに対向する第１シート部４２ｕ又は第２シート部４２ｄに接合しても良い。
第３実施形態のおむつ１Ｂによれば、折り込み部４５により側方延出部４３の延び代が更に大きくなるため、吸収性コア４１の膨潤阻害が一層確実に抑制され、吸水性ポリマーや吸収性コアが本来有する吸収性能が一層確実に発揮される。
【００３２】
第４実施形態の使い捨ておむつ１Ｃ（以下、おむつ１Ｃともいう）は、第３実施形態のおむつ１Ｂと同様に、コアラップシート４２の側方延出部４３に折り込み部４５を有しているが、図６に示すように、おむつ１Ｃにおいては、上側折曲部４５ａと下側折曲部４５ｃとで、おむつ１の幅方向Ｙにおける位置が異なっている。即ち、第３実施形態のおむつ１Ｂにおいては、図５に示すように、上側折曲部４５ａと下側折曲部４５ｃとは、おむつの幅方向Ｙにおける位置が一致しているが、第４実施形態のおむつ１Ｃにおいては、図６に示すように、一対の側方延出部４３のそれぞれにおいて、下側折曲部４５ｃが上側折曲部４５ａよりも、おむつの幅方向Ｙの外方に位置している。
おむつ１Ｃのように、下側折曲部４５ｃを上側折曲部４５ａよりも外方に位置させることで、表面シート２の非接合部２１のおむつ幅方向の長さを短くしながら、側方延出部４３の延び代を大きくすることができる。
また、おむつ１Ｃにおいては、図６に示すように、表面シート２における非接合部２１が、第１シート部４２ｕの外側端部Ｕｏより外側に設けられており、外側接合部２２における表面シート２が、裏面シート３に加えて下側折曲部４５ｃにも接合されている。そのため、吸収体４の側縁に位置する下側折曲部４５ｃの浮きやよれを防ぐことができ、型崩れし難いという利点がある。
【００３３】
図７に示す第５実施形態の使い捨ておむつ１Ｄ（以下、おむつ１Ｄともいう）は、第４実施形態のおむつ１Ｃと同様に、一対の側方延出部４３のそれぞれにおいて、折り込み部４５の下側折曲部４５ｃが上側折曲部４５ａよりも、おむつの幅方向Ｙの外方に位置している。おむつ１Ｄにおいても、下側折曲部４５ｃを上側折曲部４５ａよりも外方に位置させることで、表面シート２の非接合部２１のおむつ幅方向の長さを短くしながら、側方延出部４３の延び代を大きくすることができる。
【００３４】
図８に示す第６実施形態の使い捨ておむつ１Ｅ（以下、おむつ１Ｅともいう）におけるコアラップシート４２は、第２実施形態のおむつ１Ａと同様に、別体である上側コアラップシート４２ａと下側コアラップシート４２ｂとを組み合わせて構成されており、その上側コアラップシート４２ａと下側コアラップシート４２ｂとが、吸収体４の両側部において接着剤ｅを介して接合されている。おむつ１Ｅにおいては、別体である上側コアラップシート４２ａと下側コアラップシート４２ｂとが、側方延出部４３に、それぞれ折り込み部４６，４７を有している。両折り込み部４６，４７は、第１シート部４２ｕと第２シート部４２ｄとの間に、上側谷折折曲部４６ｂと下側谷折折曲部４７ｂを有しており、おむつの幅方向における両谷折折曲部４６ｂ，４７ｂより外方に、上記の２枚のシート４２ａ，４２ｂどうしの連結部４２ｃを備えている。また、表面シート２の外側接合部２２を形成するための接着剤ｄが、連結部４２ｃにおいて積層された２枚のシート４２ａ，４２ｂの端面を覆っており、連結部４２ｃを剥離しにくいように補強している。
おむつ１Ｅによれば、斯かる構成により、吸収体４の厚み方向の延び代を確保しつつ、連結部４２ｃの幅を広くすることができ、吸収性コア４１や吸収体４の膨潤阻害を抑制しつつ、シートどうしの連結部の剥離による吸水性ポリマー漏れ等の不都合を防止することができる。
【００３５】
第７実施形態の使い捨ておむつ（図示せず）は、第２発明の一実施形態であり、第１実施形態のおむつ１における第１シート部４２ｕと第２シート部４２ｄとの間が、水溶性の接着剤により接合された弱接合領域を有する構成を有しており、それ以外の構成は、おむつ１と同様の構成を有している。
第７実施形態の使い捨ておむつによれば、吸収体４が吸液した際に、水溶性の接着剤による接合が解除され、それにより、吸液した吸収性コア４１や吸収体４が膨潤する際に、コアラップシート４２がその膨潤を阻害しない。また、第７実施形態の使い捨ておむつにおいても、おむつ１と同様に、表面シート２が、非接合部２１及びその外側の外側接合部２２を有している。そのため、第７実施形態のおむつによっても、第１実施形態のおむつ１と同様の効果が奏される。
水溶性接着剤としては、アクリル系、酢酸ビニール系、ポリビニルアルコール系等が挙げられる。また、親水性接着剤を用いてもよく、親水性接着剤としては親水基導入ポリマーによるホットメルト、ポリマー成分にポリエーテルジオール、ポリエーテルジアミン、ポリビニルアルコール、ポリエチレングリコール、ポリプロピレングリコールをブレンドまたは共重合したもの、ポリマー成分をカルボン酸等で酸変性したもの等が挙げられる。
【００３６】
本発明は、上述した各実施形態に制限されず、適宜変更可能である。
例えば、おむつ１，１Ａ〜１Ｅ等における立体ギャザーやレッグ部弾性部材は一方又は両方を省略することができる。また、表面シート２と吸収体４とを接合する接着剤は、吸収体４の全幅に亘っていなくても良いし、裏面シート３と吸収体４とを接合する接着剤は、吸収体４の全幅に亘っていても良い。また、吸収性コア４１の肌対向面とコアラップシート４２とを接合する接着剤、及び吸収性コア４１の非肌対向面とコアラップシート４２とを接合する接着剤は、何れか一方又は双方が、括れ部４１ｃの平面視形状と同形状に塗工されていても良い。
また、使い捨ておむつは、展開型の使い捨ておむつに代えて、パンツ型の使い捨ておむつであっても良い。
【００３７】
上述した実施形態に関し、本発明は更に以下の使い捨ておむつを開示する。
＜１＞
表面シート、裏面シート及びそれら両シート間に配置された吸収体を具備し、長手方向に腹側部、背側部及びそれらの間に位置する股下部を有する使い捨ておむつであって、
前記吸収体は、吸水性ポリマーを含む吸収性コア及び該吸収性コアを包むコアラップシートを備え、該コアラップシートは、該吸収性コアの肌対向面及び非肌対向面に接着剤を介して接合されており、
前記吸収性コアは、前記股下部に幅が減少した括れ部を有し、前記コアラップシートは、前記吸収性コアの前記括れ部における両側縁から延出した側方延出部に、該側方延出部の上面を形成する第１シート部と該側方延出部の下面を形成する第２シート部との間が接合されていない非接合領域を有しており、
使い捨ておむつの幅方向において、前記表面シートは、前記第１シート部の外側端部より外方に、相対向する下側シートに接合されていない非接合部を有し、非接合部より更に外側に、相対向する下側シートに接合された外側接合部を有している、使い捨ておむつ。
【００３８】
＜２＞
表面シート、裏面シート及びそれら両シート間に配置された吸収体を具備し、長手方向に腹側部、背側部及びそれらの間に位置する股下部を有する使い捨ておむつであって、
前記吸収体は、吸水性ポリマーを含む吸収性コア及び該吸収性コアを包むコアラップシートを備え、該コアラップシートは、該吸収性コアの肌対向面及び非肌対向面に接着剤を介して接合されており、
前記吸収性コアは、前記股下部に幅が減少した括れ部を有し、前記コアラップシートは、前記吸収性コアの前記括れ部における両側縁から延出した側方延出部に、該側方延出部の上面を形成する第１シート部と該側方延出部の下面を形成する第２シート部との間が水溶性の接着剤により接合された弱接合領域を有しており、
使い捨ておむつの幅方向において、前記表面シートは、前記第１シート部の外側端部より外方に、相対向する下側シートに接合されていない非接合部を有し、該非接合部より更に外側に、相対向する下側シートに接合された外側接合部を有している、使い捨ておむつ。
【００３９】
＜３＞
前記コアラップシートは、前記吸収性コアと前記裏面シートとの間にコアラップシートどうしの連結部を有し、該連結部が前記裏面シートに接合されている、前記＜１＞又は＜２＞に記載の使い捨ておむつ。
＜４＞
前記裏面シートが透湿性を有しており、
前記コアラップシートの前記第２シート部が、前記裏面シートに接合されていない、前記＜１＞〜＜３＞の何れか１に記載の使い捨ておむつ。
＜５＞
前記コアラップシートは、前記吸収性コアの前記括れ部における側縁より内方に位置する、第２シート部と連続する部分にも前記裏面シートに接合されていない部分を有している、前記＜４＞に記載の使い捨ておむつ。
【００４０】
＜６＞
前記コアラップシートは、前記側方延出部に、第１シート部と第２シート部との間に、該コアラップシートの一部が折り込まれている折り込み部を有する、前記＜１＞〜＜５＞の何れか１に記載の使い捨ておむつ。
＜７＞
前記折り込み部は、前記表面シート側の上側折曲部と、前記裏面シート側の下側折曲部と、それらの間の中間谷折折曲部とを有し、該下側折曲部が該上側折曲部よりも、使い捨ておむつの幅方向の外方に位置している、前記＜６＞に記載の使い捨ておむつ。
＜８＞
使い捨ておむつの幅方向において、前記表面シートにおける前記非接合部が、前記第１シート部の外側端部より外側に設けられており、前記外側接合部における前記表面シートが、前記下側折曲部に接合されている、前記＜７＞に記載の使い捨ておむつ。
【００４１】
＜９＞
前記折り込み部は、前記表面シート側の上側折曲部と、前記裏面シート側の下側折曲部と、それらの間の中間谷折折曲部とを有し、
前記上側折曲部と前記下側折曲部との間は、前記第１シート部と前記第２シート部との間に位置しており、前記第１シート部及び前記第２シート部の何れにも接合されておらず、前記上側折曲部と前記下側折曲部との間の領域どうしも接合されていない、前記＜６＞に記載の使い捨ておむつ。
＜１０＞
前記コアラップシートは、正方形又は矩形状のシートであり、おむつの長手方向に沿う長さが、前記吸収性コアの同方向の長さより長く、１枚で該吸収性コアの全体を包んでいる、前記＜１＞〜＜９＞の何れか１に記載の使い捨ておむつ。
＜１１＞
おむつの長手方向に沿う一側縁部と他側縁部とが積層されたコアラップシートどうしの連結部を、吸収性コアと裏面シートとの間に有し、コアラップシートは、おむつの長手方向Ｘに直交する吸収性コアの断面をその全周に亘って囲んでいる、前記＜１＞〜＜１０＞の何れか１に記載の使い捨ておむつ。
＜１２＞
前記側方延出部の延出長さＬ３は、吸収体４の全幅Ｌ４に対して、好ましくは５％以上、より好ましくは８％以上であり、また、好ましくは２８％以下、より好ましくは２５％以下である、前記＜１＞〜＜１１＞の何れか１に記載の使い捨ておむつ。
＜１３＞
前記側方延出部の延出長さＬ３は、好ましくは５ｍｍ以上、より好ましくは８ｍｍ以上であり、また、好ましくは３０ｍｍ以下、より好ましくは２７ｍｍ以下である、前記＜１＞〜＜１２＞の何れか１に記載の使い捨ておむつ。
【００４２】
＜１４＞
前記非接合領域のおむつ幅方向の長さＬｎは、吸収体４の全幅Ｌ４に対して、好ましくは５％以上、より好ましくは８％以上であり、また、好ましくは２８％以下、より好ましくは２５％以下である、前記＜１＞〜＜１３＞の何れか１に記載の使い捨ておむつ。
＜１５＞
前記非接合領域のおむつ幅方向の長さＬｎは、好ましくは５ｍｍ以上、より好ましくは８ｍｍ以上であり、また、好ましくは３０ｍｍ以下、より好ましくは２７ｍｍ以下である、前記＜１＞〜＜１４＞の何れか１に記載の使い捨ておむつ。
＜１６＞
前記表面シートの前記非接合部のおむつ幅方向の長さＬ１は、前記吸収体の全幅に対して、好ましくは３％以上、より好ましくは４％以上であり、また、好ましくは１８％以下、より好ましくは１５％以下である、前記＜１＞〜＜１５＞の何れか１に記載の使い捨ておむつ。
＜１７＞
前記表面シートの前記非接合部のおむつ幅方向の長さＬ１は、好ましくは３ｍｍ以上、より好ましくは４ｍｍ以上であり、また、好ましくは２０ｍｍ以下、より好ましくは１５ｍｍ以下である、前記＜１＞〜＜１６＞の何れか１に記載の使い捨ておむつ。
＜１８＞
おむつの長手方向の両側それぞれにおいて、前記吸収体の側縁と、該吸収体と前記裏面シートとの間を接合している接着剤との間の距離（おむつ幅方向に沿う長さ）は、吸収体４の全幅Ｌ４に対して、好ましくは１％以上、より好ましくは３％以上であり、また、好ましくは３５％以下、より好ましくは３３％以下である、前記＜１＞〜＜１７＞の何れか１に記載の使い捨ておむつ。
【００４３】
＜１９＞
前記吸収性コアの側縁と、前記吸収体と前記裏面シートとの間を接合している接着剤との間の距離（おむつ幅方向に沿う長さ）は、前記吸収性コアの全幅（おむつ幅方向に沿う長さ）に対して、好ましくは０％以上、より好ましくは２％以上であり、また、好ましくは５０％以下、より好ましくは４０％以下である、前記＜１＞〜＜１８＞の何れか１に記載の使い捨ておむつ。
＜２０＞
前記吸収体のコアラップシートが、別体である上側コアラップシートと下側コアラップシートとを組み合わせて構成されており、その上側コアラップシートと下側コアラップシートとは、吸収体４の両側部において接着剤を介して接合されている、前記＜１＞〜＜１９＞の何れか１に記載の使い捨ておむつ。
＜２１＞
前記弱接合領域は、おむつ幅方向において、前記吸収性コアの前記括れ部に隣接している、前記＜１＞〜＜２０＞の何れか１に記載の使い捨ておむつ。
＜２２＞
前記第２シート部と連続する部分に有する前記裏面シートに接合されていない部分４４のおむつ幅方向Ｘに沿う長さＬ５は、前記吸収体の全幅Ｌ４に対して、好ましくは１％以上、より好ましくは３％以上であり、また、好ましくは３０％以下、より好ましくは２７％以下であり、また好ましくは１％以上３０％以下、より好ましくは３％以上２７％以下である前記＜６＞〜＜２０＞の何れか１に記載の使い捨ておむつ。
【符号の説明】
【００４４】
１，１Ａ〜１Ｅ使い捨ておむつ
２  表面シート
２１  非接合部
２２  外側接合部
３  裏面シート
３ａ  防漏シート
３ｂ  外装不織布
４  吸収体
４ｓ  吸収体の側縁
４１  吸収性コア
４１ｃ  括れ部
４２  コアラップシート
４２ｕ  第１シート部
４２ｄ  第２シート部
４２ｃ  連結部
４３  側方延出部
４３Ｎ  非接合領域
４５  折り込み部
４５ａ  上側折曲部
４５ｃ  下側折曲部
４５ｂ  中間谷折折曲部
【図１】
0006419566.tif 000002
【図２】
0006419566.tif 000003
【図３】
0006419566.tif 000004
【図４】
0006419566.tif 000005
【図５】
0006419566.tif 000006
【図６】
0006419566.tif 000007
【図７】
0006419566.tif 000008
【図８】
0006419566.tif 000009